(57)【特許請求の範囲】
【請求項１】
コンクリートポンプ車に搭載されているホッパ内のコンクリートを吸入して吐出するよう作業するコンクリートポンプの１ストローク分の作動ストロークの時間をパルスとして計測するセンサと、該センサからの計測パルス信号のパルス数をタイマ回路でカウントして該タイマ回路でカウントしたパルス数を基に点灯表示させる表示ランプの数を判定し、上記カウントしたパルス数が少ないと多くの表示ランプを点灯表示させる表示量判定回路を有するコントローラと、該コントローラからの指令により点灯表示させる表示ランプを複数設けてなる点灯表示器と、を備え、且つ上記点灯表示器を上記コンクリートポンプ車のホッパの上に設置した構成を有することを特徴とするコンクリートポンプ車のコンクリート吐出量表示装置。
【発明の詳細な説明】
【０００１】
【発明の属する技術分野】
本発明はホッパ内のコンクリートを吸入して吐出させるコンクリートポンプを搭載しているコンクリートポンプ車のコンクリート吐出量表示装置に関するものである。
【０００２】
【従来の技術】
コンクリートポンプ車のうち、ブーム付コンクリートポンプ車は、図３にその一例を示す如く、機体シャシフレーム１上にデッキフレーム２を装架し、該デッキフレーム２の後端部側に、ホッパ３内のコンクリートを吸入して吐出するよう作動するコンクリートポンプ４を搭載し、且つ上記デッキフレーム２上の前端部中央に、旋回架台６を設置し、該旋回架台６上に旋回台７を旋回自在に装着し、該旋回台７の上端部に、折り畳み可能に連結してある多段式のブーム５における最下段のブーム５の基端部を起伏自在に取り付け、更に、該各段のブーム５に沿わせて配管したコンクリート輸送管８を上記コンクリートポンプ４に接続し、コンクリートポンプ４にて圧送されたコンクリートをコンクリート輸送管８内を通し、該コンクリート輸送管８の先端ホースより放出させてコンクリートの打設を行うことができるようにしてある。
【０００３】
上記コンクリートポンプ車では、コンクリートポンプ４の運転状態としての、コンクリート吐出量を把握することは作業上重要であり、そのため、従来では、コンクリートポンプ４のコンクリート吸入吐出作動を行わせる主シリンダや弁シリンダにセンサを取り付けて、該センサで検出した主シリンダや弁シリンダの作動ストロークの時間をパルス信号として操作盤９内のコントローラに送り、コントローラでコンクリートポンプ４のコンクリート吐出量を演算し、演算したコンクリート吐出量を、操作盤９前面の吐出流量計としてのディスプレイ１０にデジタル表示するようにしている。
【０００４】
【発明が解決しようとする課題】
ところが、上記コンクリートポンプ車におけるコンクリートポンプ４の操作は、現在では無線操作が主流となっていて、オペレータはブーム５の先端や機体から離れた位置で操作することがほとんどであるため、操作盤９のディスプレイ１０を見ることができず、そのため、どのくらいの吐出量でコンクリートの打設を行っているのかの確認がとりずらく、又、一般に、ディスプレイ１０には液晶画面を使用していることが多く、吐出量の数字が小さく見ずらくて最大吐出量（絶対値）が不明となるので、コンクリートポンプ４がどのような運転状態にあるのかが非常に把握しずらかった。
【０００５】
そこで、本発明は、コンクリートポンプ車の機体から離れた位置でも、コンクリートの吐出量を把握できるようにしようとするものである。
【０００６】
【課題を解決するための手段】
本発明は、上記課題を解決するために、コンクリートポンプ車に搭載されているホッパ内のコンクリートを吸入して吐出するよう作業するコンクリートポンプの１ストローク分の作動ストロークの時間をパルスとして計測するセンサと、該センサからの計測パルス信号のパルス数をタイマ回路でカウントして該タイマ回路でカウントしたパルス数を基に点灯表示させる表示ランプの数を判定し、上記カウントしたパルス数が少ないと多くの表示ランプを点灯表示させる表示量判定回路を有するコントローラと、上記コンクリートポンプ車のホッパの上に設置され且つ上記コントローラからの指令により点灯表示させる表示ランプを複数設けてなる点灯表示器とを備えた構成とする。
【０００７】
センサからの計測信号を基にコントローラの指令で表示ランプが点灯されるため、オペレータ等は、機体から離れていても表示ランプの点灯状況を確認することができ、表示ランプの点灯状況によりコンクリート吐出量のレベルを把握することができる。
【０００８】
又、コントローラを、センサからの計測パルス信号のパルス数をタイマ回路でカウントして、該タイマ回路でカウントしたパルス数を基に点灯表示させる表示ランプの数を判定し、上記カウントしたパルス数が少ないと多くの表示ランプを点灯表示させる表示量判定回路とを有する構成とすることにより、簡単な構成で、コンクリート吐出量を正確に知ることができる。
【０００９】
【発明の実施の形態】
以下、本発明の実施の形態を図面を参照して説明する。
【００１０】
図１及び図２は本発明の実施の一形態を示すもので、図３に示したと同様な構成としてあるブーム付コンクリートポンプ車において、コンクリートポンプ４のコンクリート圧送のための作動ストロークの時間をパルスとして計測するセンサ１１と、該センサ１１からの計測パルス信号を基にコンクリート吐出量を演算するコントローラ１２と、上記コントローラ１２からの指令によりコンクリート吐出量のレベルに応じた数のランプを点灯させるように複数（本実施の形態では３つ）の表示ランプ１３ａ，１３ｂ，１３ｃを上下方向に並べて設けてなる点灯表示器１３とを備え、点灯表示器１３をホッパ３上に立てて設けた構成とする。
【００１１】
上記コントローラ１２は、センサ１１からの１ストローク時間当りの計測パルス信号をカウントするタイマ回路１４と、該タイマ回路１４でカウントした値としてのパルス数を基に点灯表示器１３で点灯表示させる表示ランプ数を判定して判定により選定した表示ランプを点灯表示させる表示量判定回路１５とを有する。
【００１２】
コンクリートポンプ４を運転してコンクリートの打設作業を行うと、コンクリートポンプ４の１ストローク分の作動ストローク時間がセンサ１１によりパルスとして計測され、その計測パルス信号がコントローラ１２に送られる。コントローラ１２では、先ず、タイマ回路１４で計測パルス信号のパルス数がカウントされ、次に、そのパルス数を基に点灯表示器１３で点灯表示させる表示ランプの数が判定される。この場合、たとえば、表１に示す如き判定条件を設定しておいて、コンクリートポンプ４の作動ストローク時間に応じて、コンクリート吐出量が多いときには点灯させるランプ１３ａ，１３ｂ，１３ｃの数が多くなるように（〇印：点灯、×印：消灯）設定しておくようにする。
【００１３】
【表１】
0004854123.tif 000002
したがって、今、１ストロークの時間が長く、たとえば、１０秒以上のときは、コンクリート吐出量は少ないため、１つの表示ランプ１３ａしか点灯せず、又、１ストロークの時間が３秒以上１０秒未満のときは、コンクリート吐出量はやや多くなるので、２つの表示ランプ１３ａ，１３ｂが点灯して表示することになる。１ストロークの時間が３秒未満のときは、多くのコンクリートが吐出されていることになるので、３つの表示ランプ１３ａ，１３ｂ，１３ｃがすべて点灯することになる。
【００１４】
点灯表示器１３は、ホッパ３の上方に設置されることから、ブーム５を伸ばしてコンクリートの打設中、機体から離れていても、目視により確認することができ、このため、オペレータは、点灯表示器１３の表示ランプ１３ａ，１３ｂ，１３ｃの点灯を目視により容易に確認することができて、点灯しているランプの数により、コンクリート吐出量のレベルを容易に把握することができる。又、点灯表示器１３は、ホッパ３にコンクリートを投入するアジテータ（ミキサー車）のオペレータも、目視により容易に確認することができて、どのくらいの吐出量でコンクリートを圧送しているのかがわかるようになることから、ホッパ３へのコンクリートの投入タイミングが計り易くなり、更に、コンクリート打設現場で働くその他の作業員も、コンクリートポンプ４がどの様な状態で運転されているかを、点灯表示器１３の点灯しているランプの数により容易に知ることができるようになるので、作業性を向上させることができる。
【００１５】
なお、上記実施の形態では、点灯表示器１３に３つの表示ランプ１３ａ，１３ｂ，１３ｃを上下方向に配置した場合を示したが、表示ランプの数は３つ以上として、コンクリート吐出量のレベルに応じて点灯の数が変わるようにしてもよいこと、又、３つの表示ランプ１３ａ，１３ｂ，１３ｃを異なる色として、コンクリート吐出量の大中小に応じて色の異なる表示ランプが点灯するようにしてもよいこと、その他本発明の要旨を逸脱しない範囲内において種々変更を加え得ることは勿論である。
【００１６】
【発明の効果】
以上述べた如く、本発明のコンクリートポンプ車のコンクリート吐出量表示装置によれば、コンクリートポンプ車に搭載されているホッパ内のコンクリートを吸入して吐出するよう作業するコンクリートポンプの１ストローク分の作動ストロークの時間をパルスとして計測するセンサと、該センサからの計測パルス信号のパルス数をタイマ回路でカウントして該タイマ回路でカウントしたパルス数を基に点灯表示させる表示ランプの数を判定し、上記カウントしたパルス数が少ないと多くの表示ランプを点灯表示させる表示量判定回路を有するコントローラと、該コントローラからの指令により点灯表示させる表示ランプを複数設けてなる点灯表示器と、を備え、且つ上記点灯表示器を上記コンクリートポンプ車のホッパの上に設置した構成としてあるので、オペレータは機体から離れた位置でも表示ランプの点灯を目視により容易に確認することができて、点灯している表示ランプによりコンクリート吐出量を把握することができ、しかも、オペレータ以外の作業員も表示ランプを確認することができることからコンクリート打設の作業性を向上することができ、又、コントローラを、センサからの計測パルス信号のパルス数をタイマ回路でカウントして、該タイマ回路でカウントしたパルス数を基に点灯表示させる表示ランプの数を判定し、上記カウントしたパルス数が少ないと多くの表示ランプを点灯表示させる表示量判定回路とを有する構成とすることにより、簡単な構成でコンクリート吐出量を正確に知ることができて有利となる、等の優れた効果を発揮する。
【図面の簡単な説明】
【図１】本発明のコンクリートポンプ車のコンクリート吐出量表示装置の実施の一形態を示す制御回路図である。
【図２】本発明のコンクリート吐出量表示装置を採用したコンクリートポンプ車の側面図である。
【図３】ブーム付コンクリートポンプ車の一例を示す側面図である。
【符号の説明】
４  コンクリートポンプ
１１  センサ
１２  コントローラ
１３  点灯表示器
１３ａ，１３ｂ，１３ｃ  表示ランプ
１４  タイマ回路
１５  表示量判定回路
【図１】
0004854123.tif 000003
【図２】
0004854123.tif 000004
【図３】
0004854123.tif 000005